(57)【要約】【課題】ＳＣ型光コネクタとＬＣ型光コネクタの双方に用いることができるようにする。【解決手段】ばね材から成るＵ形のアーム１の両端の内面側にゴム弾性体３を互いに対向する位置に向かい合わせに備えると共に、いずれか一方のゴム弾性体３よりも先端に前記ゴム弾性体３よりも低く前記ゴム弾性体３の突出方向に突出する折り曲げ部１ａを有する。  【選択図】        図１
2008180818.tif 000002
【特許請求の範囲】
【請求項１】
ばね材から成るＵ形のアームの両端の内面側にゴム弾性体を互いに対向する位置に向かい合わせに備えると共に、いずれか一方のゴム弾性体よりも先端側寄りでかつロック爪部を挿入する間隔をあけて前記ゴム弾性体よりも低く前記ゴム弾性体の突出方向に突出する折り曲げ部を備えるものである光コネクタ脱着工具。
【発明の詳細な説明】
【技術分野】
【０００１】
本発明は、光コネクタをアダプタに抜き差しする際に用いる光コネクタ脱着工具に関する。さらに詳述すると、本発明は、光通信ネットワークなどで現在主流となっているＳＣ型光コネクタとＬＣ型光コネクタの双方の光コネクタの脱着作業に兼用できる光コネクタ脱着工具に関する。
【背景技術】
【０００２】
近年、ＰＯＮ方式を利用したＦＴＴｘ方式の光通信ネットワーク例えばＦＴＴＨが広く構築されている。ＰＯＮ方式は、設備センター側の１つのＯＬＴ（Optical Line Terminal:光加入者線局内装置）に光スプリッタを介して複数のＯＮＵ(Optical Network Unit:光加入者線宅内装置)が接続される形態（１対多接続）のポイント・ツー・マルチポイントシステムで構築されたネットワーク方式である。このＰＯＮ方式の場合には、３２分岐まで分波が行われるので、ＯＬＴからの出力ファイバを局内で４分岐あるいは８分岐（場合によっては１６分岐）してから加入者宅近傍の架空光クロージャーでさらに８分岐あるいは４分岐（場合によっては２分岐）するようにしているのが一般的である。
【０００３】
ファイバの分岐は局内に配置された光分岐接続装置あるいは光接続箱若しくは光配線架と呼ばれるもので行われており、光コネクタとアダプタを用いて光ファイバコードなどを接続するようにしている。この光分接続装置においては、近年、配線の高密度化が進み、コネクタピッチ間が狭くなったり、より小型の光コネクタを用いる傾向にあり、本来は手にて脱着可能な光コネクタの脱着作業が作業者の指先で行うことが難しくなっている問題がある。このことは光配線の高密度化を妨げる一因ともなっている。
【０００４】
そこで、高密度で実装されたアダプタへの光コネクタの挿抜作業を治具を用いて補助することが提案されている。例えば、米国のルーセント社が開発したＬＣ型光コネクタ（IEC61754-20にて国際標準化）を対応するアダプタへ挿抜するための治具として、ドライバのようなグリップと軸部を有し、軸部の先端に相対向する一方の腕部及び他方の腕部と、ブーツ差し込み空間及び光ファイバ逃がし空間と爪部とを備えたものが提案されている（特許文献１）。この治具は、軸部の先端の一対の腕部の間にＬＣ型光コネクタのブーツ部分を差し込むようにしながら先端の爪部でＬＣ型光コネクタのロック部を押さえてＬＣ型光コネクタのロックを解除した状態で挿抜を可能とするものである。そして、アダプタにコネクタを挿入した状態でグリップを回すことにより、アダプタに保持されたコネクタのロック部から爪部を強引に外してＬＣ型光コネクタのロック機構を発揮させるものである。また、アダプタから引き抜かれた光コネクタを治具から取り外す場合にも、ＬＣ型光コネクタの先端を指先で摘んだ状態で治具を回してロック部から爪部を捻り外すように取り外すものである。
【０００５】
【特許文献１】特開２００５−２６６１００
【発明の開示】
【発明が解決しようとする課題】
【０００６】
しかしながら、ＳＣ型光コネクタよりも小型で高密度実装が可能となる超小型のＬＣ型光コネクタ（米国のルーセント社が開発：IEC61754-20にて国際標準化）が普及し始めたとはいっても、現在、我が国の通信ネットワークでは、ＮＴＴが開発したＳＣ型光コネクタ（JISC5973  IEC61754-4にて国際標準化）が依然として主流であり、局内でＳＣ型光コネクタとＬＣ型光コネクタとが混在する状況となっている。このため、ＳＣ型光コネクタとＬＣ型光コネクタとのそれぞれに専用の工具が必要になっている不便をきたしている。そのため、両者兼用の脱着工具が望まれている。しかも、特許文献１記載のＬＣ型光コネクタ専用治具は、コネクタのアダプタに対する挿抜作業時にロック部を爪部で押さえ込んだ状態で強引に捻るため、ＬＣ型光コネクタのロック部が損傷する虞がある。
【０００７】
そこで本発明は、ＳＣ型光コネクタとＬＣ型光コネクタの双方に用いることができる光コネクタ脱着工具を提供することを目的とする。また、本発明は、光コネクタの挿抜作業において回転操作の必要のない光コネクタ脱着工具を提供することを目的とする。
【課題を解決するための手段】
【０００８】
かかる目的を達成するため、本発明の光コネクタ脱着工具は、ばね材から成るＵ形のアームの両端の内面側にゴム弾性体を互いに対向する位置に向かい合わせに備えると共に、いずれか一方のゴム弾性体よりも先端側寄りでかつロック爪部を挿入する間隔をあけて前記ゴム弾性体よりも低く前記ゴム弾性体の突出方向に突出する折り曲げ部を備えるものようにしている。
【発明の効果】
【０００９】
本発明の光コネクタ脱着工具によれば、ピンセットで挟むように光コネクタのブーツ部あるいはリリースレバー部を把持して挿抜方向に移動させるだけで、無理な力を掛けずに簡単に抜き差しできる。つまり、ＬＣ型光コネクタの場合には、ＬＣ型光コネクタのロック爪部を、アームの一端の折り曲げ部とその手前側のゴム弾性体との間に入れ、他方のゴム弾性体との間でＬＣ型光コネクタのブーツ部を挟み込み、ロック爪部を解除しながら脱着できる。また、ＳＣ型光コネクタの場合には、ＳＣ型光コネクタのリリースレバー部を両ゴム弾性体によって挟み込むことで脱着できる。
【発明を実施するための最良の形態】
【００１０】
以下、本発明の構成を図面に示す実施形態に基づいて詳細に説明する。
【００１１】
図１及び図４に本発明の光コネクタ脱着工具の実施の一形態を示す。この光コネクタ脱着工具は、ばね材から成るＵ形のアーム１の両端の内面側にゴム弾性体３を互いに対向する位置に向かい合わせに備えると共に、いずれか一方のゴム弾性体３よりも先端側寄りでかつＬＣ型光コネクタのロック爪部２ａを挿入する間隔Ｓをあけてゴム弾性体３よりも低くゴム弾性体１ｂの突出方向に突出する折り曲げ部１ａを備えるようにしたものである。
【００１２】
アーム１は、Ｕ形に折り返したばね材の一方の縁部を折り返してフランジ部１ｄを形成している。このフランジ部１ｄは、アーム１のばね性を発揮する屈曲部１ｃとその近傍を除く先端側寄りの縁部を折り返したものであり、アーム１の捻り剛性等を高めると共に先端側のゴム弾性体３同士の間隔あるいは折り曲げ部１ａとゴム弾性体３との間隔を一定範囲内に収めてブーツ収納空間並びに光ファイバ収納空間を確保するスペーサの働きを兼ねる。また、このアーム１はその先端の間隔が若干開き気味に形成され、光コネクタのブーツ部２ｂあるいはロック爪部２ａを把持するのに適した間隔を保つように設けられている。さらに、アーム１の先端付近はコネクタ間ピッチが高密度化に伴って狭くなることから、先端の折り曲げ部１ａやゴム弾性体３付近が挿入し易くするために細く形成されている。尚、アーム１の屈曲部１ｃの中程にはストラップの紐を通すための孔１ｅが設けられている。
【００１３】
ゴム弾性体３は、アーム１の内面側へ突出してブーツ部２ｂを挟持する把持ブロック３ａと、アーム１の外面側へ突出してアーム１に引っかかる頭部３ｂと、頭部３ｂ並びに把持ブロック３ａよりも小径の首部３ｃとを有し、アーム１のフランジ１ｄが形成されている縁部と反対側の縁部に形成されたほぼ円形の切り欠き１ｂに首部３ｃを圧入することでアーム１に固定されている。このゴム弾性体３は摩擦係数が高く弾力性に富むものである方がコネクタのブーツ部分を挟持するには好ましいが、必ずしもゴムで構成することに限定されない。
【００１４】
アーム１の一方の端部に形成される折り曲げ部１ａは、ゴム弾性体３との間にＬＣ型光コネクタのロック爪部２ａの先端を挿入可能な隙間Ｓが形成される間隔をゴム弾性体３との間に設けるように形成されている。一方、本実施形態においては、アーム１のフランジ１ｄの先端側の終端は、ゴム弾性体３の先端側の縁とほぼ一致するように形成されていることから、折り曲げ部１ａとフランジ１ｄの終端との間の隙間はゴム弾性体３との間の隙間Ｓとほぼ同じとなる。この場合には、ＬＣ型光コネクタのロック爪部２ａの先端の位置が横方向（挿抜方向と直交する方向）にずれてもフランジ１ｄの存在がロック爪部２ａの把持を妨げることがない。ここで、折り曲げ部１ａの高さは、隣接するゴム弾性体３の高さより低くされている。ＬＣ型光コネクタに用いる場合、ロック爪部２ａと折り曲げ部１ａとが係合して、ロック爪部２ａを押し下げる一方、ブーツ部２ｂのロック爪部２ａの反対側の面を折り曲げ部１ａとは反対側のアーム１の端のゴム弾性体３で把持するようにしている。このとき、ＬＣ型光コネクタのロック爪部２ａに折り曲げ部１ａが係合することで、ブーツ部２ｂに対して両ゴム弾性体３が僅かに傾斜した状態で当接することもあるが、ロックが解除された状態で挿抜されるので、特に不具合が生じることはない。
【００１５】
以上のように構成された光コネクタ脱着工具によれば、ＬＣ型光コネクタの場合には、図５及び図６に示すように、ＬＣ型光コネクタ２のロック爪部２ａを、折り曲げ部１ａとゴム弾性体３の隙間Ｓに入れ、アーム１の反対側のゴム弾性体３と、ＬＣ型光コネクタ２のブーツ部２ｂとを挟み込み脱着することができる。また、ＳＣ型光コネクタ４の場合には、図７及び図８に示すように、ＳＣ型光コネクタ４のリリースレバー部４ａを、両ゴム弾性体３にて挟み込み脱着することができる。
【００１６】
なお、上述の実施形態は本発明の好適な実施の一例ではあるがこれに限定されるものではなく、本発明の要旨を逸脱しない範囲において種々変形実施可能である。例えば本実施形態ではロック爪部を有する光コネクタとしてＬＣ型光コネクタを例に挙げたがこれに特に限られず、ロック爪部を有するその他の光コネクタに適用することも可能であり、この場合における折り曲げ部１ａとゴム弾性体３との間の隙間Ｓは適用するコネクタのロック爪部の形態に対応するものとする。
【図面の簡単な説明】
【００１７】
【図１】本発明の光コネクタ脱着工具の一実施形態を示す平面図である。
【図２】同光コネクタ脱着工具の正面図である。
【図３】同光コネクタ脱着工具の縦断面図である。
【図４】同光コネクタ脱着工具の側面図である。
【図５】同光コネクタ脱着工具を用いてＬＣ型光コネクタの挿抜作業を行う場合の説明図である。
【図６】同光コネクタ脱着工具を用いてＬＣ型光コネクタの挿抜作業を斜視図で示す説明図である。
【図７】同光コネクタ脱着工具を用いてＳＣ型光コネクタの挿抜作業を行う場合の説明図である。
【図８】同光コネクタ脱着工具を用いてＳＣ型光コネクタの挿抜作業を斜視図で示す説明図である。
【符号の説明】
【００１８】
１  アーム
１ａ  折り曲げ部
２  ＬＣ型光コネクタ
２ａ  ＬＣ型光コネクタのロック爪部
３  ゴム状弾性体
４  ＳＣ型光コネクタ
４ａ  ＬＣ型光コネクタのリリースレバー部
【図１】
2008180818.tif 000003
【図２】
2008180818.tif 000004
【図３】
2008180818.tif 000005
【図４】
2008180818.tif 000006
【図５】
2008180818.tif 000007
【図７】
2008180818.tif 000008
【図６】
2008180818.tif 000009
【図８】
2008180818.tif 000010